(57)【要約】【課題】如何なるランプを装着しても電力を一定に保つことができ、かつ遅相領域でインバータが動作する回路を得る。【解決手段】電流検知抵抗４１電圧を抵抗４２を介してオペアンプ４３の＋端子に印可する。また、オペアンプ４３の−端子には基準電圧を決める抵抗４４・４５を接続し、オペアンプ４３の出力端子と＋端子間には位相補償用コンデンサ４７を接続する。さらに、オペアンプ４３の出力端子から抵抗４６を介して、チョッパ回路２０の抵抗２６・２７の接続交点に接続する。これにより、スイッチング素子３１・３２に流れる電流、及び蛍光ランプ３７に流れる電流が変化した場合、チョッパ電圧が可変するため、出力電力を一定に保つ制御ができる。【選択図】    図１
2004349227.tif 000002
【特許請求の範囲】
【請求項１】
交流電源１０電圧を整流する整流電源１１を備え、整流電源１１を昇圧するチョッパ回路２０を備え、前記チョッパ回路２０はオンオフ動作を繰り返すチョッパ用スイッチング素子２１を備え、前記スイッチング素子２１のオンオフ動作を制御する制御用ＩＣ２２を備え、前記スイッチング素子２１を介して給電を受け電磁エネルギを蓄積するチョッパ用インダクタ２３を備え、逆阻止用ダイオード２４を備え、前記チョッパ用インダクタ２３から前記逆阻止用ダイオード２４を介して電磁エネルギの放出を受け充電する平滑用コンデンサ２５を備え、前記平滑用コンデンサ２５電圧を検知する抵抗２６・２７を備え、周波数可変形の高周波電圧を出力するインバータ３０を備え、前記インバータ３０は前記平滑用コンデンサ２５両端に順直列一対に接続されるスイッチング素子３１・３２を備え、前記スイッチング素子３１・３２をドライブする制御回路３３を備え、前記スイッチング素子３１・３２の接続交点に接続されるコンデンサ３４、バラスト用インダクタ３５、共振用コンデンサ３６からなる直列共振回路を備え、前記共振用コンデンサ３６に並列接続される蛍光ランプ３７を備え、
前記、スイッチング素子３１・３２に流れる電流を検知する電流検知抵抗４１を備え、前記電流検知抵抗４１電圧は抵抗４２を介してオペアンプ４３の＋端子に印可される。オペアンプ４３の−端子には基準電圧を決める抵抗４４・４５が接続され、オペアンプ４３の出力端子と＋端子間には位相補償用コンデンサ４７を備え、オペアンプ４３の出力端子から抵抗４６を介して、前記チョッパ回路２０の抵抗２６・２７の接続交点に接続したことを特徴とする蛍光灯点灯装置。
【発明の詳細な説明】
【０００１】
【発明の属する技術分野】
蛍光灯点灯装置における電力制御回路に関する。
【０００２】
【従来の技術】
従来の技術について図２を用いて説明する。図２の回路は、交流電源１０電圧を整流する整流電源１１を備え、整流電源１１を昇圧するチョッパ回路２０を備え、前記チョッパ回路２０はオンオフ動作を繰り返すチョッパ用スイッチング素子２１を備え、前記スイッチング素子２１のオンオフ動作を制御する制御用ＩＣ２２を備え、前記スイッチング素子２１を介して給電を受け電磁エネルギを蓄積するチョッパ用インダクタ２３を備え、逆阻止用ダイオード２４を備え、前記チョッパ用インダクタ２３から前記逆阻止用ダイオード２４を介して電磁エネルギの放出を受け充電する平滑用コンデンサ２５を備え、前記平滑用コンデンサ２５電圧を検知する抵抗２６・２７を備える。また、周波数可変形の高周波電圧を出力するインバータ３０を備え、前記インバータ３０は前記平滑用コンデンサ２５両端に順直列一対に接続されるスイッチング素子３１・３２を備え、前記スイッチング素子３１・３２をドライブする制御回路３３を備え、前記スイッチング素子３１・３２の接続交点に接続されるコンデンサ３４、バラスト用インダクタ３５、共振用コンデンサ３６からなる直列共振回路を備え、前記共振用コンデンサ３６に並列接続される蛍光ランプ３７を備える。
【０００３】
前記、スイッチング素子３１・３２に流れる電流を検知する電流検知抵抗４１を備え、前記電流検知抵抗４１電圧は抵抗４２を介してオペアンプ４３の−端子に印可される。オペアンプ４３の＋端子には基準電圧を決める抵抗４４・４５が接続され、オペアンプ４３の出力端子と−端子間には位相補償用コンデンサ４７を備える。さらに、オペアンプ４３の出力端子から抵抗４６を介して、前記インバータ３０の制御回路３３に接続される。
この回路において、電流検知抵抗４１電圧はスイッチング素子３１・３２に流れる電流、及び蛍光ランプ３７に流れる電流により可変する。電流検知抵抗４１電圧が、抵抗４４・４５で決められたオペアンプ４３の基準電圧より低いと、オペアンプ４３の出力端子には電圧が発生する。逆に電流検知抵抗４１電圧がオペアンプ４３の基準電圧より高いと、オペアンプ４３の出力端子には電圧が発生しない。このため、スイッチング素子３１・３２に流れる電流、及び蛍光ランプ３７に流れる電流が減少した場合、電流検知抵抗４１電圧は低下して、オペアンプ４３の基準電圧より下がると、オペアンプ４３には出力電圧が発生する。この時制御回路３３の周波数制御部に接続された抵抗４６によって、周波数が可変して、スイッチング素子３１・３２に流れる電流、及び蛍光ランプ３７に流れる電流を増加させ、出力電力を一定に保つ制御を行っている。このことにより、蛍光ランプ３７に如何なる蛍光ランプを装着しても電力を一定に保つことができる。
しかし、周波数制御を行うと、遅相側で動作していたものが、蛍光ランプによっては進相側で動作するようになる。このような場合、ランプ着脱等の過渡領域においてインバータが破損する可能性がある。
【０００４】
【発明が解決しようとする課題】
本発明の目的は、如何なる蛍光ランプを装着しても電力が一定となり、かつ遅相側のみでインバータを動作させることである。
【０００５】
【課題を解決するための手段】
電流検知抵抗４１電圧を抵抗４２を介してオペアンプ４３の＋端子に印可する。また、オペアンプ４３の−端子には基準電圧を決める抵抗４４・４５を接続し、オペアンプ４３の出力端子と＋端子間には位相補償用コンデンサ４７を接続する。さらに、オペアンプ４３の出力端子から抵抗４６を介して、チョッパ回路２０の抵抗２６・２７の接続交点に接続する。
これにより、スイッチング素子３１・３２に流れる電流、及び蛍光ランプ３７に流れる電流が変化した場合、チョッパ電圧が可変するため、出力電力を一定に保つ制御ができる。
【０００６】
【発明の実施の形態】
本発明の実施形態を図１を用いて説明する。図１の回路は、交流電源１０電圧を整流する整流電源１１を備え、整流電源１１を昇圧するチョッパ回路２０を備え、前記チョッパ回路２０はオンオフ動作を繰り返すチョッパ用スイッチング素子２１を備え、前記スイッチング素子２１のオンオフ動作を制御する制御用ＩＣ２２を備え、前記スイッチング素子２１を介して給電を受け電磁エネルギを蓄積するチョッパ用インダクタ２３を備え、逆阻止用ダイオード２４を備え、前記チョッパ用インダクタ２３から前記逆阻止用ダイオード２４を介して電磁エネルギの放出を受け充電する平滑用コンデンサ２５を備え、前記平滑用コンデンサ２５電圧を検知する抵抗２６・２７を備える。また、周波数可変形の高周波電圧を出力するインバータ３０を備え、前記インバータ３０は前記平滑用コンデンサ２５両端に順直列一対に接続されるスイッチング素子３１・３２を備え、前記スイッチング素子３１・３２をドライブする制御回路３３を備え、前記スイッチング素子３１・３２の接続交点に接続されるコンデンサ３４、バラスト用インダクタ３５、共振用コンデンサ３６からなる直列共振回路を備え、前記共振用コンデンサ３６に並列接続される蛍光ランプ３７を備える。
【０００７】
前記、スイッチング素子３１・３２に流れる電流を検知する電流検知抵抗４１を備え、前記電流検知抵抗４１電圧は抵抗４２を介してオペアンプ４３の＋端子に印可される。オペアンプ４３の−端子には基準電圧を決める抵抗４４・４５が接続され、オペアンプ４３の出力端子と＋端子間には位相補償用コンデンサ４７を備える。さらに、オペアンプ４３の出力端子から抵抗４６を介して、前記チョッパ回路２０の抵抗２６・２７の接続交点に接続される。
この回路において、電流検知抵抗４１電圧はスイッチング素子３１・３２に流れる電流、及び蛍光ランプ３７に流れる電流により可変する。電流検知抵抗４１電圧が、抵抗４４・４５で決められたオペアンプ４３の基準電圧より高いと、オペアンプ４３の出力端子には電圧が発生する。逆に電流検知抵抗４１電圧がオペアンプ４３の基準電圧より低いと、オペアンプ４３の出力端子には電圧が発生しない。このため、スイッチング素子３１・３２に流れる電流、及び蛍光ランプ３７に流れる電流が減少した場合、電流検知抵抗４１電圧は低下して、オペアンプ４３の基準電圧より低いと、オペアンプ４３には出力電圧は発生しない。この時抵抗２６・２７の接続交点に接続された抵抗４６によって、抵抗２７の抵抗値は抵抗２７と抵抗４６の合成抵抗となり低下する。このためチョッパ電圧が上昇して、スイッチング素子３１・３２に流れる電流、及び蛍光ランプ３７に流れる電流を増加させ、出力電力を一定に保つ制御を行っている。このことにより、蛍光ランプ３７に如何なる蛍光ランプを装着しても電力を一定に保つことができる。
【０００８】
【発明の効果】
本発明によれば周波数制御ではなく、チョッパ電圧を制御して電力一定制御をすることができるので、如何なるランプを装着しても遅相領域でインバータを動作することができる。
これにより、ランプ着脱時等の過渡時においてもインバータは破損することなく信頼性を向上することができる。
【図面の簡単な説明】
【図１】本発明に係る蛍光灯点灯装置の回路図である。
【図２】従来の蛍光灯点灯装置の回路図である。
【符号の説明】
１０：交流電源、
２０：チョッパ回路、
３０：インバータ回路、
３１・３２：スイッチング素子、
３７：蛍光ランプ、
４１：電流検知回路、
４３：オペアンプ
【図１】
2004349227.tif 000003
【図２】
2004349227.tif 000004